(57)【要約】【課題】操作・構造ともに簡単で廉価な頁捲り機能付仰臥読書台を提供することを課題とする。【解決手段】見開きを下にした本を上げ下げする上下手段と、前記本の見開きで、読み進む側の頁の紙を捲り、綴じ部からの垂下を可能にする頁捲手段と、前記本が高位置にある時、前記頁捲手段が捲った捲紙が垂下可能に位置し、前記本が降下するに連れて、前記捲紙を倒れ伏し可能に支え、読書可能に新たな見開きを形成する見開形成部とを備えることを特徴とする頁捲り機能付仰臥読書台を提供する。【選択図】  図１
2006263088.tif 000002
【特許請求の範囲】
【請求項１】
見開きを下にした本を上げ下げする上下手段と、前記本の見開きで、読み進む側の頁の紙を捲り、綴じ部からの垂下を可能にする頁捲手段と、前記本が高位置にある時、前記頁捲手段が捲った捲紙が垂下可能に位置し、前記本が降下するに連れて、前記捲紙を倒れ伏し可能に支え、読書可能に新たな見開きを形成する見開形成部とを備えることを特徴とする頁捲り機能付仰臥読書台。
【請求項２】
前記上下手段が、前記本を斜め上斜め下に上げ下げする上下手段である請求項１記載の頁捲り機能付仰臥読書台。
【請求項３】
前記頁捲手段が、前記上下手段に連動し、読み進む側の頁の紙に接して回転する回転体を備える頁捲手段である請求項１記載の頁捲り機能付仰臥読書台。
【請求項４】
前記回転体が、読み進む側の頁の紙に接して回転する羽根を付ける回転体である請求項１記載の頁捲り機能付仰臥読書台。
【発明の詳細な説明】
【技術分野】
【０００１】
本発明は、仰臥して読書する装置に関する。
【背景技術】
【０００２】
頁捲り機能付読書機としては、特許文献１が、又本の頁捲り装置としては特許文献２等が提案されている。
又、仰臥読書装置としては、特許文献３、特許文献４、特許文献５が提案されている。
【特許文献１】特許公開２００２−３１５６３２号公報
【特許文献２】特許公開平９−９５０６８号公報
【特許文献３】特許公開２００２−１６５６４４号公報
【特許文献４】特許公開平９−７５１３９号公報
【特許文献５】特許公開平９−２９４６３７号公報
【発明の開示】
【発明が解決しようとする課題】
【０００３】
しかしながら、特許文献１、特許文献２は頁捲り機構が複雑なため、安価で手軽な読書台を求める多くの読書愛好家のニーズにマッチしない。特許文献３、特許文献４は頁捲り機能がないため、頁捲りが厄介で読書の楽しみを半減する。特許文献５はカメラとモニターを介しての読書なので直接紙面を見られず、違和感が生じる。さらに、カメラ、モニター等高価な機材を必要とする。
そこで本発明は操作・構造ともに簡単で安価な頁捲り機能付仰臥読書台を提供することを課題とする。
【課題を解決するための手段】
【０００４】
以上の課題を解決するために、請求項１記載の発明は、見開きを下にした本を上げ下げする上下手段と、前記本の見開きで、読み進む側の頁の紙を捲り、綴じ部からの垂下を可能にする頁捲手段と、前記本が高位置にある時、前記頁捲手段が捲った捲紙が垂下可能に位置し、前記本が降下するに連れて、前記捲紙を倒れ伏し可能に支え、読書可能に新たな見開きを形成する見開形成部とを備えることを特徴とする頁捲り機能付仰臥読書台を提供する。
【０００５】
請求項２記載の発明は、前記上下手段が、前記本を斜め上斜め下に上げ下げする上下手段である請求項１記載の頁捲り機能付仰臥読書台を提供する。
【０００６】
請求項３記載の発明は、前記頁捲手段が、前記上下手段に連動し読み進む側の頁の紙に接して回転する回転体を備える頁捲手段である請求項１記載の頁捲り機能付仰臥読書台を提供する。
【０００７】
請求項４記載の発明は、前記回転体が、読み進む側の頁の紙に接して回転する羽根を付ける回転体である請求項１記載の頁捲り機能付仰臥読書台を提供する。
【発明の効果】
【０００８】
請求項１記載の発明は、見開きを下にしているため、捲られた紙は自重で垂下し、他の紙と容易に分離できることや、この垂下した紙が降下するだけで、自ら倒れ伏し、新しい見開きを形成するので、構造・操作共に簡単である。
【０００９】
請求項２記載の発明は、前記上下手段が、前記垂下した紙を、見開き形成部に斜め下に降下しながら倒すので、新しい見開きの形成が確実にできる。
【００１０】
請求項３記載の発明は、頁捲手段と上下手段とが連動するため、頁捲りと新しい見開き形成が一つの操作で出来きるので、操作簡単である。又、原動機を使用する場合では、１つの原動機で済む。
【００１１】
請求項４記載の発明は、弾力のある羽根が紙面に接して回転するため、接触面が大きくなることで滑りが少なく、確実に頁を捲ることが出来る。また実質的回転半径が大きくなるため、一回転以内でも頁を捲ることが出来、２枚目以降の紙を捲る恐れが少ない。
【発明を実施するための最良の形態】
【００１２】
本発明の一実施例を、図面を用いて説明する。図２、図３、図４で、本の縦の長さより大きい間をおいて向かい合わせる二つの山形枠11と、この両者の頂上部に架ける細い棒でなる綴部受12と、両者の中腹部に架ける頁側端受13と、反対側の中腹部に架ける細線（又は透明板でも可）でなる読終側受14とで構成する載本部１に、見開きを下にして、本80を載せる。
【００１３】
図３、図４で、本80の見開きで、読進側80fの複数枚の紙を外側部fuと内側部fbの２群に分けて、外側部fuの頁側端を外側受13uで、内側部fdの頁側端を内側受13dで受ける。こうすることで、分厚い本であっても、頁を捲ろうとする紙にかかる圧力を加減出来、スムーズな頁捲りが可能になる。又、頁側端受13は本80のサイズに合わせて山形枠11上を移設出来る。
【００１４】
図１、図２で、端部に把手21bが付いている二つの主動節21aを向かい合わせ、把手側端部を連結軸21cで連結し、連結軸21cの両端を、基枠31に固定する二つの主動節軸受32で支持する。二つの主動節21aの反対側端部は二つの山形枠11の中央下端部に夫々枢着する。２つの従動節22の端部を、基枠31に固定する2つの従動節軸受33に枢着し、他方の端部は2つの山形枠11の端部に夫々枢着する。こうして、山形枠11と主動節21aと基枠31と従動節22とで四つ棒回転連鎖機構を構成し、引き紐21dを引いて連結軸21cを回転させると、載本部1は斜め上に上がり、緩めると自重で斜め下に下がる。
【００１５】
図１、図２、図５で、山形枠11に枢着するプーリー軸42と一体回転するプーリー41（3セット）と、一端を山形枠11の一方の端部に係止する引っ張りばね47と、山形枠のもう一方の端部に枢着する定滑車46と、一端が基枠31に係止して定滑車46を経て、3個のプーリー41に順次巻き掛けて、他端が引っ張りばね47を付勢して係止する調縄48とがある。引き紐21dを引いて連結軸21cを回転させると山形枠11は斜め上に上がるが、同時に、弛緩しようとする調縄48は付勢した引っ張りばね47に引っ張られるため、調縄48が巻き掛けてある３セットのプーリー41とプーリー軸42とは回転する。引き紐21dを緩めると山形枠11は自重で降下すると共に、３セットのプーリー41とプーリー軸42とは反対に回転する。
【００１６】
図５、図７で、回転体43の回転体軸44はプーリー軸42の軸孔42hに相互回転不可に嵌入出来る。こうして、回転体43はプーリー41と一体に回転するので、載本枠11の上下動と連動する。
この回転体43は前記本80の見開き頁の紙に接して回転するので、紙と回転体の摩擦力や粘着力で、頁を捲ることができる。3個の回転体43は、本80のサイズに合わせて着脱し使分ける。
【００１７】
図６（１）は羽根45の付いた回転体43を示す。
図６（２）は本80の読進側80fの頁の紙が羽根45の付いた回転体43によって捲られ、頁側端受13から開放されて、綴じ部80cから垂下する様子を示す。
【００１８】
図２、図７、図９で、基枠31に透明板51（数本の細線でも可）を渡して見開形成部3とする。本80が降下すると、綴じ部80cから垂下した捲紙Fpの下端部を支え、更に降下するに連れ、捲紙Fpが倒れ伏すように支えて、新しく読書可能の見開きを形成する。
【００１９】
図７、図８で、図８（１）は読書を始める頁を開いた状態を示す。図８（２）は載本枠11の上昇に連動して回転する回転体43（羽根45付）が見開きの頁の紙を捲り、頁側端受13から開放する様子を示す。図８（３）は載本枠11が上昇し終わり、捲紙Fpが垂下している状態を示す。図８（４）（５）は載本枠11が下降するに連れ捲紙Fpの下端部が読書面形成部51に支えられて倒れ伏す様子を示す。図８（６）は新しい読書面が形成された状態である。図８（７）（８）は（１）から（６）を繰り返している事を示す。
【００２０】
図１、図７、図９で、図１は円環状の基枠31はスタンド6の基枠受61の上に水平に回転できる状態で載っている。基枠31を水平面で180度回転すると、左右が入れ替わり、頁を捲る方向が反対になる。即ち、図７に示す左開きの本を読む状態から、図９に示す右開きの本を読む状態に、あるいは図９から図７に換えられる。基枠31の形状は円環状に限らない。例えば矩形であっても、持ち上げて左右を換えられる。
【図面の簡単な説明】
【００２１】
【図１】本発明の一実施例の全体斜視図である。
【図２】一実施例の中枢部の斜視図である。
【図３】載本部に見開きの本を載せた様子を示す斜視図である。
【図４】載本部に載った見開きの本の支え方を示す斜視図である。（１）は見開きの状態を、（２）は一部の紙が垂下した状態を示す。
【図５】上下手段と頁捲手段の回転体が連動することを示す斜視図である。
【図６】羽根を付けた回転体を示し、（１）は斜視図で、（２）は紙を捲る様子を示す。
【図７】見開きの頁の紙を捲り新しい見開きを形成する様子を示す模式図である。
【図８】見開きの頁の紙を捲り新しい見開きを形成する過程を示す模式図である。
【図９】図７の状態から基枠を１80度回転させて反対に読み進む様子を示す模式図である。
【符号の説明】
【００２２】
１      載本部
11      山形枠
12      綴部受
13      頁側端受
13u    外側受
13d    内側受
14    読終側受
2      上下手段
21a    主動節
21b    把手
21c    連結軸
21d    引き紐
22      従動節
31      基枠
32      主動節軸受
33      従動節軸受
4        頁捲手段
41      プーリー
42      プーリー軸
43      回転体
44      回転体軸
45      羽根
46      定滑車
47      引っ張りばね
48      調縄
5      見開形成部
51      透明板
52      透明板受
6        スタンド
61      基枠受
62      支柱
63      ベース
80      本
80f      読進部
fu      外側部
fd      内側部
80b    読終側
80c    綴じ部
Fp      捲紙
【図１】
2006263088.tif 000003
【図２】
2006263088.tif 000004
【図３】
2006263088.tif 000005
【図４】
2006263088.tif 000006
【図５】
2006263088.tif 000007
【図６】
2006263088.tif 000008
【図７】
2006263088.tif 000009
【図８】
2006263088.tif 000010
【図９】
2006263088.tif 000011